(57)【要約】【課題】前部帽体と後部帽体の連結部における強度を向上させ、強度的に強くすることが可能なスライド収納ヘルメットを提供することにある。【解決手段】使用者の前頭部を覆う前部帽体１２と、前部帽体の内側にスライド収納可能とされ装着者の後頭部を覆う後部帽体１３とを備え、前部帽体１２内面の左側、右側の双方には、円弧状長穴１４ａが形成された摺動ガイド部材１４が設けられる。また、後部帽体１３の内面の左側、右側の双方に設けられ、円弧状長穴と係合して該円弧状長穴に沿ってスライド移動する係合軸１５を備える。そして、係合軸を円弧状長穴に沿ってスライドさせることにより、後部帽体を前部帽体の内側に収納する収納状態と、前部帽体に対して後部帽体を広げた使用状態とを切り替える。【選択図】図１
2013112913.tif 000002
【特許請求の範囲】
【請求項１】
使用者の前頭部を覆う前部帽体と、該前部帽体の内側にスライド収納可能とされ前記使用者の後頭部を覆う後部帽体と、を備えたスライド収納ヘルメットにおいて、
前記前部帽体内面の左側、右側の双方に設けられ、円弧状長穴が形成された摺動ガイド部材と、
前記後部帽体内面の左側、右側の双方に設けられ、前記円弧状長穴と係合して該円弧状長穴に沿ってスライド移動する係合軸と、を備え、
前記係合軸を前記円弧状長穴に沿ってスライドさせることにより、前記後部帽体を前記前部帽体の内側に収納する収納状態と、前記前部帽体に対して後部帽体を広げた使用状態と、を切り替えることを特徴とするスライド収納ヘルメット。
【請求項２】
前記摺動ガイド部材の外周辺は、前記円弧状長穴に沿った円弧状とされ、前記後部帽体の内面には、前記摺動ガイド部材の外周辺に沿って摺動する円弧状ガイド部材が設けられることを特徴とする請求項１に記載のスライド収納ヘルメット。
【請求項３】
前記後部帽体の内面の前記円弧状長穴近傍には、前記係合軸がスライド終端位置に達して前記使用状態とされた際に、前記係合軸のスライド移動を阻止するストッパ部材が設けられることを特徴とする請求項１または請求項２のいずれかに記載のスライド収納ヘルメット。
【請求項４】
前記後部帽体の外面の後端部近傍には、前記スライド方向に沿って延びる突起部が２箇所に形成され、
前記前部帽体の内面には、前記後部帽体を前部帽体に対してスライドさせる際に、前記突起部と接触し、摩擦力をもって摺動する摺動片が設けられることを特徴とする請求項１〜請求項３のいずれか１項に記載のスライド収納ヘルメット。
【請求項５】
前記後部帽体の後端部、及び前部帽体の前端部に、それぞれ鍔部を設けることを特徴とする請求項１〜請求項４のいずれか１項に記載のスライド収納ヘルメット。
【発明の詳細な説明】
【技術分野】
【０００１】
本発明は、スライド収納可能なヘルメットに関する。
【背景技術】
【０００２】
人間の頭部を保護するヘルメットは、頭部を保護するためのボウル形状を有するので、一定の容積をとってしまい、収納、携帯に不利である。そこで、従来より、例えば特開平６−１９２９０７号公報（特許文献１）に記載されているように、ヘルメットを前部帽体と後部帽体とに分割し、更に、前部帽体と後部帽体を左右に設けられた回動軸により軸支し、該回動軸により前部帽体に対して後部帽体がスライド移動する折り畳み式のものが知られている。
【０００３】
このような折り畳み式のヘルメットでは、ヘルメット使用時には、前部帽体に対して後部帽体を広げることにより使用状態とすることができ、また、ヘルメットを使用しない時には、前部帽体の内面側に後部帽体をスライドさせることにより、容易に収納状態とすることが可能となる。従って、未使用時においてヘルメット全体を小型化することが可能であるので、収納、或いは携帯に便利である。
【先行技術文献】
【特許文献】
【０００４】
【特許文献１】特開平６−１９２９０７号公報
【発明の概要】
【発明が解決しようとする課題】
【０００５】
しかしながら、上述した特許文献１に記載されている折り畳み式のヘルメットでは、前帽体と後帽体とを回転軸で軸支する構成であるので、前部帽体と後部帽体が左右それぞれ１点ずつで支持されることになり強度的に弱く、ヘルメット使用時に応力が加えられると、左右の回転軸に応力が集中して、回転軸の劣化が激しくなるという問題がある。
【０００６】
本発明は、このような従来の課題を解決するためになされたものであり、その目的とするところは、前部帽体と後部帽体の連結部における強度を向上させ、強度的に強くすることが可能なスライド収納ヘルメットを提供することにある。
【課題を解決するための手段】
【０００７】
上記目的を達成するため、本願請求項１に記載の発明は、使用者の前頭部を覆う前部帽体と、該前部帽体の内側にスライド収納可能とされ前記使用者の後頭部を覆う後部帽体と、を備えたスライド収納ヘルメットにおいて、前記前部帽体内面の左側、右側の双方に設けられ、円弧状長穴が形成された摺動ガイド部材と、前記後部帽体内面の左側、右側の双方に設けられ、前記円弧状長穴と係合して該円弧状長穴に沿ってスライド移動する係合軸と、を備え、前記係合軸を前記円弧状長穴に沿ってスライドさせることにより、前記後部帽体を前記前部帽体の内側に収納する収納状態と、前記前部帽体に対して後部帽体を広げた使用状態と、を切り替えることを特徴とする。
【０００８】
請求項２に記載の発明は、前記摺動ガイド部材の外周辺は、前記円弧状長穴に沿った円弧状とされ、前記後部帽体の内面には、前記摺動ガイド部材の外周辺に沿って摺動する円弧状ガイド部材が設けられることを特徴とする。
【０００９】
請求項３に記載の発明は、前記後部帽体の内面の前記円弧状長穴近傍には、前記係合軸がスライド終端位置に達して前記使用状態とされた際に、前記係合軸のスライド移動を阻止するストッパ部材が設けられることを特徴とする。
【００１０】
請求項４に記載の発明は、前記後部帽体の外面の後端部近傍には、前記スライド方向に沿って延びる突起部が２箇所に形成され、前記前部帽体の内面には、前記後部帽体を前部帽体に対してスライドさせる際に、前記突起部と接触し、摩擦力をもって摺動する摺動片が設けられることを特徴とする。
【００１１】
請求項５に記載の発明は、前記後部帽体の後端部、及び前部帽体の前端部に、それぞれ鍔部を設けることを特徴とする。
【発明の効果】
【００１２】
請求項１の発明では、前部帽体の内側の左右双方に円弧状長穴を設け、後部帽体の内側の左右双方に係合軸を設け、円弧状長穴に沿って係合軸をスライド移動させることにより、収納状態と使用状態を変更することができる。従って、極めて簡単な操作での切替操作が可能となり、保管時や携行時には容易にヘルメットを収納状態とすることができ、且つ、ヘルメットを使用する際には容易に使用状態とすることが可能となる。
【００１３】
請求項２の発明では、係止軸が円弧状長穴に沿ってスライド移動する際に、摺動ガイド部材の外周辺と円弧状ガイド部材が接触する。従って、後部帽体に応力が加えられた場合には、円弧状ガイド部材と外周辺との接触によりこの応力が前部帽体側へ伝達されるので、従来の点接触の場合と対比して、応力を分散させることができる。このため、一点に力が集中することを防止できる。
【００１４】
請求項３の発明では、ストッパ部材を設けることにより、ヘルメットが完全に使用状態となった後においては、該ストッパ部材により後部帽体のスライド移動を阻止するので、ヘルメットの開放状態を維持することができる。このため、使用状態とされているヘルメットが不用意に収納されてしまうという問題の発生を回避することができる。
【００１５】
請求項４の発明では、後部帽体の表面に突起部が設けられ、更に、前部帽体の内面側に摺動片が設けられ、後部帽体を前部帽体の内部に収納する際には、完全に収納が終了する直前の状態で突起部と摺動片とが摩擦接触するので、ある程度の摩擦抵抗力を持って収納状態とすることができる。
【００１６】
請求項５の発明では、前部帽体の先端部に鍔部が形成され、後部帽体の後端部にも鍔部が形成されるので、ヘルメットを収納する場合、及び開放する場合において、使用者は各鍔部を掴むことにより、容易に収納操作、及び開放操作を行うことができる。
【図面の簡単な説明】
【００１７】
【図１】本発明の一実施形態に係るスライド収納ヘルメットの平面図である。
【図２】本発明の一実施形態に係るスライド収納ヘルメットの斜視図である。
【図３】本発明の一実施形態に係るスライド収納ヘルメットの側面図であり、ヘルメット使用時の状態を示す。
【図４】本発明の一実施形態に係るスライド収納ヘルメットの側面図であり、ヘルメット収納時の状態を示す。
【図５】本発明の一実施形態に係るスライド収納ヘルメットの、前部帽体と後部帽体の接続部の様子を示す説明図である。
【図６】本発明の一実施形態に係るスライド収納ヘルメットの、ストッパ部材の構成を示す説明図である。
【図７】本発明の一実施形態に係るスライド収納ヘルメットの、突起部と摺動片との接続の様子を示す説明図である。
【図８】本発明の一実施形態に係るスライド収納ヘルメットの内部に内装具が装備された状態を示す説明図である。
【発明を実施するための形態】
【００１８】
以下、本発明の実施形態を図面に基づいて説明する。図１は、本発明の一実施形態に係るスライド収納ヘルメットの構成を示す平面図、図２は斜視図、図３はヘルメット使用時の側面図、図４はヘルメット収納時の側面図である。
【００１９】
各図に示すように、本実施形態に係るスライド収納ヘルメット１１（以下、単に「ヘルメット」という）は、使用者の頭部前方を保護するための前部帽体１２と、頭部後方を保護するための後部帽体１３を備えており、後述する円弧状長穴１４ａに沿って係合軸１５を摺動させることにより、図３に示す使用状態（開いた状態）、または図４に示す収納状態のいずれかに切り替えることができる。
【００２０】
図５は、ヘルメット１１内側の、前部帽体１２と後部帽体１３の連結の様子を示す説明図であり、図５（ａ）は使用状態、（ｂ）は使用状態にてロックを解除する状態、（ｃ）は収納状態を示している。図５（ａ）〜（ｃ）に示すように、前部帽体１２の右側内面（左側も同一構造である）には、前部帽体１２に対する後部帽体１３の摺動をガイドする摺動ガイド部材１４が取り付けられており、該摺動ガイド部材１４と前部帽体１２内面との間には一定の隙間が形成されている。
【００２１】
また、摺動ガイド部材１４には、円弧状長穴１４ａが形成され、更に、その周囲は円弧形状部１４ｂとされている。そして、後部帽体１３が、前部帽体１２と摺動ガイド部材１４の間の隙間（上記した一定の隙間）に挿通され、更に、後部帽体１３の内面側適所に設けられた係合軸１５が円弧状長穴１４ａ内に挿入される。
【００２２】
従って、係合軸１５を円弧状長穴１４ａに沿ってスライド移動させることにより、前部帽体１２に対して後部帽体１３を広げて使用状態としたり、前部帽体１２の内面側に後部帽体１３を収納して収納状態とすることが可能である。
【００２３】
更に、後部帽体１３の内面側の適所には、円弧形状部１４ｂと接触する円弧状の側辺を有するガイド部材１７（円弧状ガイド部材）が設けられている。従って、後部帽体１３の係合軸１５を円弧状長穴１４ａに沿ってスライド移動させる際には、摺動ガイド部材１４の外周となる円弧形状部１４ｂがガイド部材１７との摩擦力をもって摺動するので、ある程度の抵抗感をもって後部帽体１３の出し入れ操作が可能となる。
【００２４】
また、後部帽体１３の内部には、ストッパ部材１６が設けられており、ヘルメット１１が使用状態とされている際には、該ストッパ部材１６により、この使用状態を維持する。即ち、ストッパ部材１６により、係合軸１５が円弧状長穴１４ａに沿って摺動することを防止し、使用状態とされているヘルメット１１の後部帽体１３が不用意に前部帽体１２内部に収容されることを防止する。以下、ストッパ部材１６の詳細について、図６を参照して説明する。
【００２５】
図６に示すように、ストッパ部材１６は、つまみ部１６ａと、係止片１６ｂと、回動軸１６ｃ、及び弦巻バネ２０を備えている。そして、弦巻バネ２０によりストッパ部材１６は図中矢印Ｙ１の方向に付勢されている。従って、図５（ａ）に示すように、ヘルメット１１が使用状態とされている場合には、ストッパ部材１６の係止片１６ｂが、摺動ガイド部材１４の係止肩１４ｃに当接して後部帽体１３の回動を阻止する。即ち、後部帽体１３が不用意に前部帽体１２の内部に収納されることを防止する。
【００２６】
また、ヘルメット１１の使用者がつまみ部１６ａを内側に押し込むことにより（即ち、図６の矢印Ｙ１と反対の方向に押し込むことにより）係止片１６ｂと係止肩１４ｃとの係合が解除されるので、ヘルメット１１を収納状態とすることが可能となる。
【００２７】
また、図２に示すように、前部帽体１２の前端部には鍔部２２が設けられ、後部帽体１３の後端部には鍔部２３が設けられている。
【００２８】
更に、図１〜図３に示すように、後部帽体１３の後端部側には、該後部帽体１３のスライド方向に延びる２本の突起部１８ａ，１８ｂが形成されている。また、図７は、図４のＡ−Ａ断面を示す図であり、図７に示すように、前部帽体１２の内面側の、各突起部１８ａ，１８ｂに対応する位置には、該突起部１８ａ，１８ｂと摩擦接触する摺動片１９ａ，１９ｂが形成されている。
【００２９】
そして、後部帽体１３を前部帽体１２の内面に向けて収納すると、後部帽体１３の後端部が前部帽体１２の後端部に達する手前にて、突起部１８ａ，１８ｂと摺動片１９ａ，１９ｂが摩擦接触して摺動片１９ａ，１９ｂが突起部１８ａ，１８ｂに沿って摺動する。このため、後部帽体１３が前部帽体１２内に完全に収納される手前において、ある程度の抵抗感をもって後部帽体１３が収納されることになる。
【００３０】
次に、ヘルメット１１の内部に設けられる内装具について説明する。図８に示すように、ヘルメット１１の内部には、ハンモック３１やヘッドバンド３２、あご紐３４等の内装具が設けられており、本実施形態に係るヘルメット１１では、樹脂製のヘッドバンド３２が２分割されており、各ヘッドバンド３２は、それぞれ布製バンド３３（左右２箇所に設けられている）により連結されている。従って、ヘッドバンド３２は、２つの布製バンド３３により分断されるので、後部帽体１３を前部帽体１２内部に収納する場合において自由自在に回動するので無理な力をかけることが無い。
【００３１】
次に、上述のように構成された本実施形態に係るヘルメット１１の作用について説明する。初めに、使用状態（前部帽体１２と後部帽体１３が開いた状態）から収納状態に変化させる場合について説明する。
【００３２】
ヘルメット１１が使用状態とされている場合には、図５（ａ）に示すように、係合軸１５が円弧状長穴１４ａの最後端近傍（図中右側）に達しており、この状態においてストッパ部材１６の係止片１６ｂが摺動ガイド部材１４の係止肩１４ｃを乗り越え、該係止肩１４ｃに係合する。即ち、係止片１６ｂが係止肩１４ｃを乗り越えると、図６に示す弦巻バネ２０の付勢力により係止片１６ｂが係止肩１４ｃを乗り越える方向に付勢されて、該係止片１６ｂが係止肩１４ｃと係合し、係合軸１５が円弧状長穴１４ａに沿ってスライド移動することが阻止される。
【００３３】
従って、後部帽体１３に対して前方に向く力が作用した場合でも、ストッパ部材１６により、後部帽体１３が前部帽体１２の内部方向に向けて収納されることが阻止される。よって、使用者は使用状態とされたヘルメットを工事現場等で着用することができ、頭部を保護することができる。
【００３４】
一方、使用状態とされているヘルメット１１を収納状態とする場合には、使用者はストッパ部材１６先端のつまみ部１６ａを下方向に押圧する。すると、図５（ａ）の状態から図５（ｂ）の状態に変化し、更に、つまみ部１６ａが下方に移動すると、係止片１６ｂと係止肩１４ｃとの係合が外れストッパ部材１６に設けられた帽体側に突出したお椀状の突起が後部帽体１３に設けられたストッパ部材１６側に突出した幅広な断面二等辺三角形状の突起に一旦固定されるので、係合軸１５は円弧状長穴１４ａに沿ってスライド移動することが可能となり、同時にストッパ部材１６が摺動ガイド部材１４内に収納される。この状態で使用者が後部帽体１３を前部帽体１２の内面側に向けて押すと、係合軸１５が円弧状長穴１４ａに沿ってスライド移動し、後部帽体１３が前部帽体１２の内面に収納される方向に向けて移動する。この際、前部帽体１２の先端部には鍔部２２が設けられ、後部帽体１３の後端部にもやはり鍔部２３が設けられているので、使用者は各鍔部２２，２３を掴んで操作することにより、容易に掴むことができ且つ、収納操作を容易に行うことが可能となる。
【００３５】
そして、後部帽体１３が完全に前部帽体１２の内面に収納される直前の状態において、２つの突起部１８ａ，１８ｂと２つの摺動片１９ａ，１９ｂ（図７参照）が互いに接触して摺動するので、ある程度の摩擦力をもって後部帽体１３を前部帽体１２の内側に収納することができる。即ち、一度収納状態とされたヘルメット１１が簡単に開いてしまう等の問題の発生を回避することができる。
【００３６】
また、前述したように、ヘルメット１１内部に搭載されるヘッドバンド３２は、２つに分断されており、これらが布製バンド３３により連結される構成とされているので、ヘッドバンド３２やハンモック３１等の内装具に無理な力を加えることなく、自由自在に回動して簡単に内装具を収納状態とされたヘルメット１１の内部に収容することができる。
【００３７】
その結果、ヘルメット１１全体の容積を小さくすることができ、緊急時用として用いる際の保管場所として多くの設置スペースを必要とせずに保管することができる。また、工事現場を視察する際等に、使用者がヘルメットを携行する場合には、容易にバック等に収納して持ち運ぶことが可能となる。
【００３８】
次に、収納状態とされているヘルメット１１を開放して、使用状態に変更する際の動作について説明する。
【００３９】
ヘルメット１１が収納状態とされているときは、前述したように、２つの突起部１８ａ，１８ｂと２つの摺動片１９ａ，１９ｂとの間の摩擦力によりこの収納状態が維持されている。使用者は、前部帽体１２の鍔部２２、及び、後部帽体１３の鍔部２３を掴み、両者を広げると、上記の摩擦力に抗して後部帽体１３が前部帽体１２の後方側に向けて摺動を開始する。即ち、図５（ｃ）に示した状態から、係合軸１５が円弧状長穴１４ａに沿って、図中右側にスライド移動する。
【００４０】
この際、開き初めの状態では、上記の摩擦力が存在するので、この摩擦力によりある程度の力が必要になる。しかし、後部帽体１３がある程度開き、突起部１８ａ，１８ｂと摺動片１９ａ，１９ｂとの接触が解除されると、小さい力にて前部帽体１２に対して後部帽体１３が広がることになる。そして、後部帽体１３に設けられた係合軸１５が円弧状長穴の終端に近づくと、ストッパ部材１６の係止片１６ｂが係止肩１４ｃを乗り越えて、弦巻バネ２０の付勢力により係止片１６ｂが係止肩１４ｃに係合される。
【００４１】
従って、この係合により係合軸１５が円弧状長穴１４ａに沿ってスライド移動することを阻止する。即ち、後部帽体１３が完全に開くと（即ち、ヘルメット１１が使用状態となると）、この状態で後部帽体１３と前部帽体１２が固定され、不用意に収納されるというトラブルの発生を回避できる。こうして、前部帽体１２と後部帽体１３に分割して構成されたヘルメット１１を、簡単な操作で収納状態、或いは使用状態に変化させることができるのである。
【００４２】
このようにして、本実施形態に係るスライド収納ヘルメット１１では、前部帽体１２の内側の左右双方に円弧状長穴１４ａを設け、後部帽体１３の内側の左右双方に係合軸１５を設け、円弧状長穴１４ａに沿って係合軸１５をスライド移動させることにより、収納状態と使用状態を変更することができる。従って、極めて簡単な操作での切替操作が可能となり、保管時や携行時には容易にヘルメット１１を収納状態とすることができ、且つ、ヘルメット１１を使用する際には容易に使用状態とすることが可能となる。
【００４３】
また、係合軸１５が円弧状長穴１４ａに沿ってスライド移動することにより、収納状態と使用状態が切り替えられ、この際、摺動ガイド部材１４の円弧形状部１４ｂとガイド部材１７が接触する。従って、後部帽体１３に応力が加えられた場合には、ガイド部材１７と円弧形状部１４ｂの接触（辺での接触）によりこの応力が前部帽体１２側へ伝達されるので、従来の点接触の場合と対比して、応力を分散させることができる。このため、一点に力が集中することを防止でき、摺動ガイド部材１４と係合軸１５との連結構造部に無理な力が作用して損傷する等の問題の発生を低減することが可能となる。
【００４４】
また、後部帽体１３を前部帽体１２の内部に収納する際には、完全に収納が終了する直前の状態で図７に示した突起部１８ａ，１８ｂと摺動片１９ａ，１９ｂとが摩擦接触するので、違和感が無い程度の摩擦抵抗力が作用することとなり、極めて円滑な収納状態と使用状態の切替操作を行うことが可能となる。
【００４５】
また、ストッパ部材１６を設けることにより、ヘルメット１１が完全に使用状態となった後においては、ストッパ部材１６の係止片１６ｂと係止肩１４ｃが係合して係合軸１５のスライド移動を阻止するので、ヘルメット１１の開放状態を維持することができる。従って、使用状態とされているヘルメット１１に上方からの落下物等により衝撃が加えられた場合でもロック方向に力が加わるので不用意に収納されてしまうという問題の発生を回避することが可能となる。
【００４６】
更に、本実施形態に係るスライド収納ヘルメット１１では、前部帽体１２の先端部に鍔部２２が形成され、後部帽体１３の後端部に鍔部２３が形成されているので、ヘルメット１１を収納する場合、及び開放する場合において、使用者は各鍔部２２，２３を掴むことにより、容易に収納操作、及び開放操作を行うことができる。
【００４７】
また、本実施形態では、係合軸１５が円弧状長穴１４ａに沿ってスライドすることにより、収納、及び開放操作が行われるので、ヘルメット１１の側面は図３，図４に示すように鋭利な突起部が存在せず、異物への衝突により損傷する等の問題の発生を低減することが可能となる。また、ヘルメット１１は、図４に示すように鋭利な突起部が存在しないように収納されるため、コンパクトになり、スペースを取らずに保管しておくことが可能となる。
【００４８】
以上、本発明のスライド収納ヘルメットを図示の実施形態に基づいて説明したが、本発明はこれに限定されるものではなく、各部の構成は、同様の機能を有する任意の構成のものに置き換えることができる。
【産業上の利用可能性】
【００４９】
本発明は、簡単な操作でヘルメット収納、及び開放を切り替えることに利用することができる。
【符号の説明】
【００５０】
１１  スライド収納ヘルメット
１２  前部帽体
１３  後部帽体
１４  摺動ガイド部材
１４ａ  円弧状長穴
１４ｂ  円弧形状部
１４ｃ  係止肩
１５  係合軸
１６  ストッパ部材
１６ａ  つまみ部
１６ｂ  係止片
１６ｃ  回動軸
１７  ガイド部材
１８ａ，１８ｂ  突起部
１９ａ，１９ｂ  摺動片
２０  弦巻バネ
２２  鍔部（前側）
２３  鍔部（後側）
３１  ハンモック
３２  ヘッドバンド
３３  布製バンド
３４  あご紐
【図１】
2013112913.tif 000003
【図２】
2013112913.tif 000004
【図３】
2013112913.tif 000005
【図４】
2013112913.tif 000006
【図５】
2013112913.tif 000007
【図６】
2013112913.tif 000008
【図７】
2013112913.tif 000009
【図８】
2013112913.tif 000010